(57)【要約】【課題】表示画像自体で印刷適切性を利用者に視覚的に伝えることができる画像処理プログラム、画像処理方法及び画像処理装置を提供する。【解決手段】入力画像の画像サイズと出力画像の画像サイズとを比較判定し、入力画像の画像サイズが出力画像の画像サイズよりも小さいと判定されたとき、入力画像の解像度を通常のサムネール画像よりも低下させた中間画像を作成し、総ピクセル数を変えずに中間画像の実サイズをサムネール画像の実サイズに拡大して解像度が低下したサムネール画像を作成し、そのサムネール画像を他のサムネール画像とともに一覧表示する。利用者はサムネール画像の画質によって印刷適切性の有無を視覚的に認識することができる。【選択図】図５
2007312092.tif 000002
【特許請求の範囲】
【請求項１】
入力画像の画像サイズと前記入力画像が印刷出力されるときの出力画像の画像サイズとを比較判定する比較判定ステップと、
前記比較判定ステップにおいて、前記入力画像の画像サイズが前記出力画像の画像サイズよりも小さいと判定されたとき、前記入力画像の画質を低下させた処理画像を作成する処理画像作成ステップと、
前記処理画像を表示する表示ステップと、
をコンピュータに実行させるための画像処理プログラム。
【請求項２】
前記処理画像作成ステップは、前記入力画像から所定の解像度の前記処理画像を作成することを特徴とする請求項１に記載の画像処理プログラム。
【請求項３】
前記処理画像作成ステップは、前記入力画像を縮小して中間画像を作成する縮小ステップと、前記中間画像の実サイズを拡大して前記処理画像を作成する拡大ステップとを含むことを特徴とする請求項２に記載の画像処理プログラム。
【請求項４】
入力画像の画像サイズと前記入力画像が印刷出力されるときの出力画像の画像サイズとを比較判定する比較判定ステップと、
前記比較判定ステップにおいて、前記入力画像の画像サイズが前記出力画像の画像サイズよりも小さいと判定されたとき、前記入力画像の画質を低下させた処理画像を作成する処理画像作成ステップと、
前記比較判定ステップの比較判定結果に基づいて、前記入力画像を縮小した縮小画像又は前記処理画像からなるサムネール画像を作成するサムネール画像作成ステップと、
前記サムネール画像を表示する表示ステップと、
表示された前記サムネール画像から前記入力画像を指定する指定ステップと、
指定された前記入力画像を印刷出力する出力ステップと、
をコンピュータに実行させるための画像処理プログラム。
【請求項５】
記録媒体から画像を入力する入力ステップと、
前記入力ステップで入力された入力画像の画像サイズを読み取る読取ステップと、
前記入力画像の画像サイズと前記入力画像が印刷出力されるときの出力画像の画像サイズとを比較判定する比較判定ステップと、
前記比較判定ステップにおいて、前記入力画像の画像サイズが前記出力画像の画像サイズよりも小さいと判定されたとき、前記入力画像の画質を低下させた処理画像を作成する処理画像作成ステップと、
前記比較判定ステップの比較判定結果に基づいて、前記入力画像を縮小した縮小画像又は前記処理画像からなるからサムネール画像を作成するサムネール画像作成ステップと、
前記サムネール画像を表示する表示ステップと、
表示された前記サムネール画像から前記入力画像を指定する指定ステップと、
指定された前記入力画像を印刷出力する出力ステップと、
をコンピュータに実行させるための画像処理プログラム。
【請求項６】
前記処理画像作成ステップは、前記入力画像の解像度を低下させて画質を低下させるものであることを特徴とする請求項１、４又は５に記載の画像処理プログラム。
【請求項７】
前記処理画像作成ステップは、前記入力画像の色相及び／又は彩度を変更し、あるいは階調を低下させて画質を低下させるものであることを特徴とする請求項１、４又は５に記載の画像処理プログラム。
【請求項８】
前記処理画像作成ステップは、前記出力画像の画像サイズと前記入力画像の画像サイズとの差が所定の値以上のとき、前記処理画像を作成することを特徴とする請求項１、４又は５に記載の画像処理プログラム。
【請求項９】
前記処理画像作成ステップは、前記出力画像の画像サイズと前記入力画像の画像サイズとの比が所定の値以上のとき、前記処理画像を作成することを特徴とする請求項１、４又は５に記載の画像処理プログラム。
【請求項１０】
入力画像の画像サイズと前記入力画像が印刷出力されるときの出力画像の画像サイズとを比較判定する比較判定ステップと、
前記比較判定ステップにおいて、前記入力画像の画像サイズが前記出力画像の画像サイズよりも小さいと判定されたとき、前記入力画像の画質を低下させた処理画像を作成する処理画像作成ステップと、
前記比較判定ステップの比較判定結果に基づいて、前記入力画像を縮小した縮小画像又は前記処理画像からなるサムネール画像を作成するサムネール画像作成ステップと、
前記サムネール画像を表示する表示ステップと、
表示された前記サムネール画像から前記入力画像を指定する指定ステップと、
指定された前記入力画像を印刷出力する出力ステップとを含むことを特徴とする画像処理方法。
【請求項１１】
記録媒体から画像を入力する画像入力手段と、
前記画像入力手段により入力された入力画像の画像サイズを読み取る読取手段と、
前記入力画像の画像サイズと前記入力画像が印刷出力されるときの出力画像の画像サイズとを比較判定する比較判定手段と、
前記比較判定手段により、前記入力画像の画像サイズが前記出力画像の画像サイズよりも小さいと判定されたとき、前記入力画像の画質を低下させた処理画像を作成する処理画像作成手段と、
前記比較判定手段の比較判定結果に基づいて、前記入力画像を縮小した縮小画像又は前記処理画像からなるサムネール画像を作成するサムネール画像作成手段と、
前記サムネール画像を表示する表示手段と、
表示された前記サムネール画像から前記入力画像を指定する指定手段と、
指定された前記入力画像を印刷出力する画像出力手段とを備えたことを特徴とする画像処理装置。
【請求項１２】
前記指定手段は、前記出力画像の印刷用紙サイズを指定するサイズ指定部を備え、
前記画像出力手段は、前記サイズ指定部により指定された印刷用紙サイズに対応した大きさの前記出力画像を印刷出力することを特徴とする請求項１１に記載の画像処理装置。
【発明の詳細な説明】
【技術分野】
【０００１】
本発明は、写真等の入力画像を印刷出力するための工程をコンピュータに実行させる画像処理プログラム、画像処理方法及び画像処理装置に関する。
【背景技術】
【０００２】
近年、デジタルカメラ等の撮像装置の普及に伴い、各種の撮像装置で撮影された画像を印刷する写真印刷装置（画像処理装置）が、例えば、コンビニエンスストア等の店舗内に設置されている。このような画像処理装置を用い、例えば、不特定多数の利用者の注文（入力操作）等に応じて利用者所有の記録メディアに保存されている写真（画像）を印刷することにより、画像印刷サービスの提供が行われている。
【０００３】
各種の撮像装置の解像度は様々であるため、このような画像処理装置において、出力部の解像度よりも低解像度の写真データを印刷した場合には、印刷された画像の解像度が低くなるため、利用者が意図したよりも品質の悪い印刷が行われてしまう。
【０００４】
しかし、利用者は画面に表示されたサムネイル画像（縮小画像）を見ただけでは低解像度の写真であることに気づき難い。
【０００５】
そのため、低解像度の画像であることの注意を促すため、利用者が印刷する写真画像を選択する際にサムネール画像の周囲に色枠を表示するものや、サムネール画像を表示する代わりに「Error Image」等の文字列を表示する画像入出力装置が提案されている（例えば、特許文献１参照）。
【特許文献１】特開２００１−３６８４３号公報
【発明の開示】
【発明が解決しようとする課題】
【０００６】
しかし、従来の画像処理装置によると、サムネール画像の周囲に色枠を表示しても、それらが何を意味するのかを利用者に理解させるため、別途説明の表示等が必要となる。また、その説明の表示のためにサムネール画像の表示領域が狭くなったり、画像が隠れてしまうため、選択し難くなる。また、サムネール画像を表示しないものでは、ユーザが低解像度の写真でも印刷することを考えている場合には、一部の写真について選択ができなくなるという不都合がある。
【０００７】
従って、本発明の目的は、表示画像自体で印刷適切性を利用者に視覚的に伝えることができる画像処理プログラム、画像処理方法及び画像処理装置を提供することにある。
【課題を解決するための手段】
【０００８】
上記目的を達成するため、本発明の一態様は、以下の画像処理プログラム、画像処理方法及び画像処理装置を提供する。
【０００９】
［１］入力画像の画像サイズと前記入力画像が印刷出力されるときの出力画像の画像サイズとを比較判定する比較判定ステップと、前記比較判定ステップにおいて、前記入力画像の画像サイズが前記出力画像の画像サイズよりも小さいと判定されたとき、前記入力画像の画質を低下させた処理画像を作成する処理画像作成ステップと、前記処理画像を表示する表示ステップと、をコンピュータに実行させるための画像処理プログラム。
【００１０】
上記構成の画像処理プログラムによれば、画像サイズが出力画像の画像サイズよりも小さい入力画像は、画質を低下させた処理画像として表示されるため、利用者は当該入力画像が印刷適切性が無いことを視覚的に把握することができる。「画像サイズ」とは、ピクセル数で表したときの縦および横のサイズをいう。「画質の低下」には、解像度の低下、色相の変更、彩度の低下、階調の低下、色数の減少等を含む。
【００１１】
［２］前記処理画像作成ステップは、前記入力画像から所定の解像度の前記処理画像を作成することを特徴とする前記［１］に記載の画像処理プログラム。
【００１２】
［３］前記処理画像作成ステップは、前記入力画像を縮小して中間画像を作成する縮小ステップと、前記中間画像の実サイズを拡大して前記処理画像を作成する拡大ステップとを含むことを特徴とする前記［２］に記載の画像処理プログラム。この構成によれば、入力画像を縮小し中間画像を作成し、中間画像の実サイズを拡大することで、解像度が低下した処理画像を作成することができる。「入力画像を縮小」とは、総ピクセル数を減らすことをいう。
【００１３】
［４］入力画像の画像サイズと前記入力画像が印刷出力されるときの出力画像の画像サイズとを比較判定する比較判定ステップと、前記比較判定ステップにおいて、前記入力画像の画像サイズが前記出力画像の画像サイズよりも小さいと判定されたとき、前記入力画像の画質を低下させた処理画像を作成する処理画像作成ステップと、前記比較判定ステップの比較判定結果に基づいて、前記入力画像を縮小した縮小画像又は前記処理画像からなるサムネール画像を作成するサムネール画像作成ステップと、前記サムネール画像を表示する表示ステップと、表示された前記サムネール画像から前記入力画像を指定する指定ステップと、指定された前記入力画像を印刷出力する出力ステップと、をコンピュータに実行させるための画像処理プログラム。
【００１４】
上記構成の画像処理プログラムによれば、画像サイズが出力画像の画像サイズよりも小さい入力画像は、画質を低下させた処理画像として表示されるため、利用者はサムネール画像のうち画質が低下した処理画像の入力画像に印刷適切性が無いことを視覚的に把握することができる。
【００１５】
［５］記録媒体から画像を入力する入力ステップと、前記入力ステップで入力された入力画像の画像サイズを読み取る読取ステップと、前記入力画像の画像サイズと前記入力画像が印刷出力されるときの出力画像の画像サイズとを比較判定する比較判定ステップと、前記比較判定ステップにおいて、前記入力画像の画像サイズが前記出力画像の画像サイズよりも小さいと判定されたとき、前記入力画像の画質を低下させた処理画像を作成する処理画像作成ステップと、前記比較判定ステップの比較判定結果に基づいて、前記入力画像を縮小した縮小画像又は前記処理画像からなるからサムネール画像を作成するサムネール画像作成ステップと、前記サムネール画像を表示する表示ステップと、表示された前記サムネール画像から前記入力画像を指定する指定ステップと、指定された前記入力画像を印刷出力する出力ステップと、をコンピュータに実行させるための画像処理プログラム。
【００１６】
上記構成の画像処理プログラムによれば、記録媒体から入力され、画像サイズが出力画像の画像サイズよりも小さい入力画像は、画質を低下させた処理画像として表示されるため、利用者はサムネール画像のうち画質が低下した処理画像の入力画像に印刷適切性が無いことを視覚的に把握することができる。
【００１７】
［６］前記処理画像作成ステップは、前記入力画像の解像度を低下させて画質を低下させるものであることを特徴とする前記［１］、［４］又は［５］に記載の画像処理プログラム。この構成によれば、解像度が低い画像を表示することで、利用者は当該入力画像が印刷適切性が無いことを視覚的に把握することができる。
【００１８】
［７］前記処理画像作成ステップは、前記入力画像の色相及び／又は彩度を変更し、あるいは階調を低下させて画質を低下させるものであることを特徴とする前記［１］、［４］又は［５］に記載の画像処理プログラム。この構成によれば、色相や彩度が変更され、あるいは階調が低下している画像を表示することで、利用者は当該入力画像が印刷適切性が無いことを視覚的に把握することができる。
【００１９】
［８］前記処理画像作成ステップは、前記出力画像の画像サイズと前記入力画像の画像サイズとの差が所定の値以上のとき、前記処理画像を作成することを特徴とする前記［１］、［４］又は［５］に記載の画像処理プログラム。出力画像の画像サイズと入力画像の画像サイズとの差が所定の値以上になると、印刷適切性が無くなるため、画質を低下させた処理画像を表示することにより、印刷適切性の判断が容易となる。
【００２０】
［９］前記処理画像作成ステップは、前記出力画像の画像サイズと前記入力画像の画像サイズとの比が所定の値以上のとき、前記処理画像を作成することを特徴とする前記［１］、［４］又は［５］に記載の画像処理プログラム。この構成によれば、出力画像の画像サイズと入力画像の画像サイズとの比が大きい程、印刷適切性が無くなるため、画質を低下させた処理画像を表示することにより、印刷適切性の判断が容易となる。
【００２１】
［１０］入力画像の画像サイズと前記入力画像が印刷出力されるときの出力画像の画像サイズとを比較判定する比較判定ステップと、前記比較判定ステップにおいて、前記入力画像の画像サイズが前記出力画像の画像サイズよりも小さいと判定されたとき、前記入力画像の画質を低下させた処理画像を作成する処理画像作成ステップと、前記比較判定ステップの比較判定結果に基づいて、前記入力画像を縮小した縮小画像又は前記処理画像からなるサムネール画像を作成するサムネール画像作成ステップと、前記サムネール画像を表示する表示ステップと、表示された前記サムネール画像から前記入力画像を指定する指定ステップと、指定された前記入力画像を印刷出力する出力ステップとを含むことを特徴とする画像処理方法。
【００２２】
上記構成の画像処理方法によれば、画像サイズが出力画像の画像サイズよりも小さい入力画像は、画質を低下させた処理画像として表示されるため、利用者はサムネール画像のうち画質が低下した処理画像の入力画像に印刷適切性が無いことを視覚的に把握することができる。
【００２３】
［１１］記録媒体から画像を入力する画像入力手段と、前記画像入力手段により入力された入力画像の画像サイズを読み取る読取手段と、前記入力画像の画像サイズと前記入力画像が印刷出力されるときの出力画像の画像サイズとを比較判定する比較判定手段と、前記比較判定手段により、前記入力画像の画像サイズが前記出力画像の画像サイズよりも小さいと判定されたとき、前記入力画像の画質を低下させた処理画像を作成する処理画像作成手段と、前記比較判定手段の比較判定結果に基づいて、前記入力画像を縮小した縮小画像又は前記処理画像からなるサムネール画像を作成するサムネール画像作成手段と、前記サムネール画像を表示する表示手段と、表示された前記サムネール画像から前記入力画像を指定する指定手段と、指定された前記入力画像を印刷出力する画像出力手段とを備えたことを特徴とする画像処理装置。
【００２４】
上記構成の画像処理装置によれば、画像サイズが出力画像の画像サイズよりも小さい入力画像は、画質を低下させた処理画像として表示されるため、利用者はサムネール画像のうち画質が低下した処理画像の入力画像に印刷適切性が無いことを視覚的に把握することができる。
【００２５】
［１２］前記指定手段は、前記出力画像の印刷用紙サイズを指定するサイズ指定部を備え、前記画像出力手段は、前記サイズ指定部により指定された印刷用紙サイズに対応した大きさの前記出力画像を印刷出力することを特徴とする前記［１１］に記載の画像処理装置。この構成によれば、所望の印刷用紙サイズに対応した出力画像を得ることができる。
【発明の効果】
【００２６】
本発明によれば、印刷適切性の無い入力画像については、画質を低下させた処理画像として表示されるので、表示画像自体で印刷適切性を利用者に視覚的に伝えることができる。
【発明を実施するための最良の形態】
【００２７】
［第１の実施の形態］
（全体の構成）
図１は、本発明の第１の実施の形態に係る画像処理装置の全体の外観を示す斜視図である。この画像処理装置１は、ユーザインタフェースとして機能する表示・操作部２と、各種の処理を統括的に制御する処理制御部３と、画像の出力形態に応じて課金処理を行う課金部４と、記録メディアから読み出した画像を印刷する記録部としての印刷部５とから概略構成されている。
【００２８】
表示・操作部２は、各種の案内情報やサムネール画像等を表示するディスプレイ２０と、ディスプレイ２０の前面に重合配置され、ユーザから入力操作を受け付けるタッチパネル２１とを備えている。
【００２９】
処理制御部３は、表示・操作部２が載置された略箱型状の処理制御部用筐体３ａを有し、この筐体３ａの前面に、３種類の記録メディアをそれぞれ挿入可能なメディア挿入口３３ａ，３３ｂ，３３ｃと、メディア挿入口３３ａ〜３３ｃを開閉するシャッター３４と、記録メディアよりも記録容量の大きい保存用記録ディスクを挿入可能なディスク挿入口３８ａとを配設している。
【００３０】
課金部４は、処理制御部用筐体３ａの一方の側に隣接して配置された課金部用筐体４ａを有し、この筐体４ａの前面に、紙幣が挿入される紙幣挿入口４ｂと、硬貨が投入される硬貨投入口４ｃと、釣銭が払い出される釣銭払出口４ｄとを配設している。
【００３１】
印刷部５は、処理制御部用筐体３ａの他方の側に隣接して配置された印刷部用筐体５ａを有し、この筐体５ａの内部に、複数のプリント用紙を積層状態で収納するとともに、プリント用紙を図示しない印刷位置に一枚ずつ供給する給紙トレイ５０を備え、印刷部用筐体５ａの側面に、プリント用紙に画像が印刷された印刷写真（出力画像）５２が排出される排紙トレイ５１を備えている。
【００３２】
また、印刷部５は、複写、プリント、スキャナ、ファックス、通信等の複数の機能を有する複合機であり、スキャナ部（図示せず）で読み取られた原稿画像をプリント用紙に複写する複写処理（コピー）、記録メディアに記録されている画像をプリント用紙に印刷する印刷処理（画像プリント）、記録メディアに記録されている画像を保存用記録ディスクに記録する保存処理（画像保存）、記録メディアに記録されている複数の画像のインデックスとなるサムネール画像をプリント用紙に印刷するインデックス印刷処理（インデックスプリント）、スキャナ部で取り込んだ原稿画像や記録メディアに記録されている画像あるいはファイルを電話回線を介してファクシミリ送信する送信処理（ファックス）等をそれぞれ実行するように構成されている。
【００３３】
図２は、本発明の第１の実施の形態の画像処理装置の制御系を示すブロック図である。処理制御部３は、画像処理装置１全体を制御する機能及び各種データの計算を実行する機能を有するＣＰＵ３０と、ＣＰＵ３０が実行する各種の処理プログラムを記憶するプログラム記憶部３１と、記録メディアに記録されている画像を読み取るメディアドライブ部３２と、メディアドライブ部３２で読み取られた画像（入力画像）に所定の処理を施す画像処理部３５と、入力画像を記憶する画像記憶部３６と、料金算出用データを記憶する課金情報記憶部３７と、出力対象画像を保存用記録ディスクに記録するディスク記録部３８とを備えている。
【００３４】
メディアドライブ部３２は、３種類の記録メディアから画像をそれぞれ読み取る第１乃至第３のメディアドライブ３３Ａ、３３Ｂ、３３Ｃと、記録メディアを抜き差し可能なメディア挿入口３３ａ〜３３ｃを開閉するシャッター３４とを備える。メディアドライブ３３Ａ、３３Ｂ、３３Ｃは、記録メディアから画像を読み取る際にその画像の撮影日・時間、画像サイズ、解像度等の属性情報も取得し、画像とともに、属性情報、および記録メディアの種類に対応したメディアＩＤをＣＰＵ３０に送信するようになっている。画像、属性情報およびメディアＩＤは、ＣＰＵ３０の制御の下に画像記憶部３６に記憶される。本実施の形態における「解像度」とは、単位幅をいくつの点（ピクセル）の集合として表現した値であり、このときの単位幅の例としては、印刷出力する際の実サイズやディスプレイ表示出力する際のサイズ等がある。
【００３５】
なお、メディアドライブ部３２が取り扱うメディアの種類は、３種類に限定されない。メディアとしては、種々の記録媒体があり、例えば、スマートメディア（登録商標）、メモリースティック（登録商標）、ＳＤカード（登録商標）、コンパクトフラッシュ（登録商標）等のフラッシュメモリを内蔵した各種の記録メディア、磁気ディスク等の磁気記録媒体、光磁気ディスク等の光磁気記録媒体、ＣＤ−ＲＷ等の光記録媒体がある。画像は、静止画でも動画の１コマでもよい。
【００３６】
画像処理部３５は、各メディア挿入口３３ａ〜３３ｃに挿入された記録メディアから読み取られた画像について、サムネール画像の作成、画像の拡縮、画像の編集処理等を行うものである。
【００３７】
また、画像処理部３５は、サムネール画像の作成の際、ＣＰＵ３０の制御の下に、画像記憶部３６に記憶された複数の入力画像について、属性情報から画像サイズを読み取り、入力画像の画像サイズと印刷部５の出力画像の画像サイズと比較し、入力画像が出力画像の画像サイズよりも小さいときは、その比較結果に応じて解像度を低下させたサムネール画像を作成するように構成されている。この比較処理やサムネイル画像の作成処理に必要な比較計算プログラムや比較結果に応じたサムネール画像の作成プログラムは、プログラム記憶部３１に格納されている。
【００３８】
ディスク記録部３８は、記録メディアから読み取り、画像記憶部３６に記憶された複数の画像をディスク挿入口３８ａに挿入された外部保存用記録メディアに保存するように構成されている。
【００３９】
プログラム記憶部３１は、ＲＡＭ、ＨＤＤ等から構成され、上述したようにＣＰＵ３０が実行する各種の処理プログラムの他、画像処理部３５が実行する比較計算プログラムや比較結果に応じたサムネール画像の作成プログラム等を記憶する。
【００４０】
課金部４は、出力対象画像の出力枚数を含む料金算出用データ及びユーザから受け付けた入金データに基づいて課金処理を実行するように構成されている。
【００４１】
（第１の実施の形態の動作）
次に、画像処理装置１の動作を図４のフローチャートに従って説明する。
【００４２】
先ず、ＣＰＵ３０は、初期画面として<コピー>・<画像プリント>・<画像保存>・<インデックスプリント>・<ファックス>等の出力形態及び出力サイズを選択するためのメニュー画面を表示・操作部２のディスプレイ２０に表示し、ユーザからの指示を受け付ける（Ｓ１）。ここで、ユーザが例えば、出力形態として<画像プリント>を、出力サイズとして「Ｌ判」（縦８９ｍｍ、横１２７ｍｍ）を、タッチパネル２１を押下して選択したとする。
【００４３】
ユーザが、出力形態及び出力サイズを選択すると、ＣＰＵ３０は、シャッター３４を駆動してメディアドライブ３３Ａ〜３３Ｃのメディア挿入口３３ａ〜３３ｃを開放し、ユーザが記録メディアを任意のメディア挿入口３３ａ〜３３ｃに挿入する（Ｓ２）。挿入後、シャッター３４を駆動してメディアドライブ３３Ａ〜３３Ｃのメディア挿入口３３ａ〜３３ｃを閉塞する。ここで、ユーザが、例えば、デジタルカメラで撮影した画像が記録された記録メディアを第１のメディアドライブ３３Ａに挿入したとする。
【００４４】
ＣＰＵ３０は、第１のメディアドライブ３３Ａにより記録メディア内の全ての画像を入力画像として読み出す。ＣＰＵ３０は、プログラム記憶部３１に格納された処理プログラムの演算プログラムにより、入力画像の画像サイズをピクセル数で表したときの幅をＡ１、高さをＡ２とし、ユーザが選択した出力形態においてユーザが選択した出力サイズで出力する場合の出力画像の画像サイズをピクセル数で表したときの幅をＢ１、高さをＢ２とし、入力画像の幅と高さの比（Ａ１／Ａ２）が、出力画像の幅と高さの比（Ｂ１／Ｂ２）以上であるか否かを判定する（Ｓ３）。
【００４５】
上記ステップＳ３での判定の結果、入力画像の幅と高さの比（Ａ１／Ａ２）が出力画像の幅と高さの比（Ｂ１／Ｂ２）未満であった場合（Ｓ３：Ｎｏ）、次に、Ａ１がＢ１より小さいか否かを判定する（Ｓ４ａ）。
【００４６】
一方、上記ステップＳ３での判定の結果、入力画像の幅と高さの比（Ａ１／Ａ２）が出力画像の幅と高さの比（Ｂ１／Ｂ２）以上であった場合（Ｓ３：Ｙｅｓ）、次に、Ａ２がＢ２より小さいか否かを判定する（Ｓ４ｂ）。
【００４７】
上記ステップＳ４ａでの判定の結果、Ａ１がＢ１より小さかった場合（Ｓ４ａ：Ｙｅｓ）、ディスプレイ２０に表示するサムネール画像１つあたりの画像サイズをピクセル数で表したときの幅をＣ１、高さをＣ２とし、サムネール画像を作成するための調整画像の画像サイズの幅Ｄ１、高さＤ２を、それぞれ、Ｄ１＝（Ａ１×Ｃ１）／Ｂ１、Ｄ２＝（Ａ２×Ｃ１）／Ｂ１で算出する（Ｓ５ａ）。
【００４８】
一方、上記ステップＳ４ｂでの判定の結果、Ａ２がＢ２より小さかった場合（Ｓ４ｂ：Ｙｅｓ）、縮小画像の画像サイズの幅Ｄ１、高さＤ２を、それぞれ、Ｄ１＝（Ａ１×Ｃ２）／Ｂ２、Ｄ２＝（Ａ２×Ｃ２）／Ｂ２で算出する（Ｓ５ｂ）。
【００４９】
上記ステップＳ５ａ又はステップＳ５ｂでＤ１、Ｄ２を算出した場合は、ＣＰＵ３０の制御のもと、画像処理部３５において入力画像から中間画像（幅Ｄ１、高さＤ２）を作成する（Ｓ６）。
【００５０】
続いて画像処理部３５は、総ピクセル数を変えずに中間画像の実サイズ（幅Ｄ１ｒ、高さＤ２ｒ）をサムネール画像の実サイズ（幅Ｃ１ｒ、高さＣ２ｒ）に拡大したサムネール画像（処理画像）を作成する（Ｓ７）。ピクセル数を縮小して実サイズを拡大することで、入力画像から直接サムネール画像を作成した場合よりも解像度が低くなり、画像の粗いサムネール画像が作成される。次にステップＳ９に進む。
【００５１】
上記ステップＳ４ａでの判定の結果、Ａ１がＢ１以上であった場合（Ｓ４ａ：Ｎｏ）、及び、上記ステップＳ４ｂでの判定の結果、Ａ２がＢ２以上であった場合（Ｓ４ｂ：Ｎｏ）、中間画像（幅Ｄ１、高さＤ２）は作成せずに、入力画像から直接サムネール画像を作成する（Ｓ８）。すなわち、入力画像の画像サイズ（幅Ａ１、高さＡ２）を画像サイズ（幅Ｃ１、高さＣ２）のサムネール画像に縮小する。次にステップＳ９に進み、サムネール画像を一覧画面でディスプレイ２０に表示する（Ｓ９）。
【００５２】
サムネール画像の一覧画面上では、入力画像の画像サイズが出力画像の画像サイズよりも小さいために印刷適切性の無いものについては、解像度の低いサムネール画像で表示され、印刷適切性の有るものについては、通常の解像度のサムネール画像で表示される。
【００５３】
ユーザがディスプレイ２０の表示画面において印刷対象の画像を選択すると（Ｓ１０）、ＣＰＵ３０は、選択された画像に画像処理部３５により所定の処理を施し、例えば、選択しなかった画像をグレースケールで表示する等により、選択されなかった画像と異なる表示態様でディスプレイ２０に表示するとともに、選択された画像を画像記憶部３６に記憶する（Ｓ１１）。
【００５４】
ＣＰＵ３０は、シャッター３４を駆動してメディアドライブ３３Ａ〜３３Ｃのメディア挿入口３３ａ〜３３ｃを開放し、ユーザが第１のメディアドライブ３３Ａのメディア挿入口３３ａ内の記録メディアを外部に引き抜くことができるようにする（Ｓ１２）。複数のメディアを挿入する場合、次のメディアを挿入してステップＳ２からステップＳ１２を繰り返す。全てのメディアについて印刷対象を選択したら、ＣＰＵ３０はシャッター３４を駆動してメディアドライブ３３Ａ〜３３Ｃのメディア挿入口３３ａ〜３３ｃを閉塞する。
【００５５】
ＣＰＵ３０は、上記ステップＳ１１で選択された画像についてステップＳ７又はステップＳ８で作成されたサムネール画像を用いてサムネール画像一覧画面を作成させ、ディスプレイ２０に表示する（Ｓ１３）。
【００５６】
ディスプレイ２０に表示された一覧画面において印刷対象のサムネール画像の部分を押下して選択し、ユーザはディスプレイ２０に表示された図示しないテンキーを押下して選択した画像の印刷枚数を印刷枚数入力欄に入力する（Ｓ１４）。
【００５７】
図３は、ステップＳ１４でディスプレイ２０に表示された画像表示例を示す図である。このサムネール画像一覧画面６には、記録メディアの種類に対応したメディアＩＤ６０、サムネール画像６１、印刷枚数入力欄６２等が表示される。図３において、メディアＩＤ６０の「Ａ−１」、「Ａ−２」、「Ａ−３」は、第１のメディアドライブ３３Ａが１枚目、２枚目、３枚目の記録メディアからそれぞれ読み出した画像であることを示す。「Ａ−１」、「Ａ−２」、「Ａ−３」の画像がそれぞれ複数枚存在するが、読み出し順に表示している。また、メディアＩＤ６０の「Ｂ−１」、「Ｂ−２」は、第２のメディアドライブ３３Ｂが１枚目、２枚目の記録メディアからそれぞれ読み出した画像、メディアＩＤ６０の「Ｃ−１」は、第３のメディアドライブ３３Ｃが１枚目の記録メディアから読み出した画像であることを示す。
【００５８】
また、図３は、ステップＳ１０で、ディスプレイ２０に表示された一覧画面において印刷対象の画像の部分を押下して選択したときの図で、画像処理部３５による処理によりサムネール画像６１’の周辺（斜線を施した領域）が強調された表示となり、他の選択されていないサムネール画像６１とは異なる表示態様で表示される。
【００５９】
ディスプレイ２０に表示された図示しないテンキーを押下して選択したサムネール画像６１’の印刷枚数は、印刷枚数入力欄６２に入力表示される。印刷枚数入力欄６２には、例えば、１枚の場合は「０１」、２枚の場合は「０２」、３枚の場合は「０３」というように表示される。
【００６０】
ＣＰＵ３０は、サムネール画像一覧画面に対する画像選択、入力枚数に基づいて、課金情報記憶部３７に記憶されている料金算出用データを基にユーザが支払うべき料金の金額を算出し、ディスプレイ２０に表示する（Ｓ１５）。
【００６１】
次に、ユーザは、ディスプレイ２０に表示された金額に応じた料金を課金部４の紙幣挿入口４ｂあるいは硬貨投入口４ｃから紙幣あるいは硬貨を投入して支払うと、課金部４は、ＣＰＵ３の制御の下に課金処理を行う（Ｓ１６）。すなわち、課金部４が支払われた現金を収容するとともに、支払い金額を演算し、その結果をＣＰＵ３０に通知する。支払い金額がディスプレイ２０に表示された金額より大きい場合は、課金部４の釣銭払出口４ｄから差額の釣銭を返金する。なお、支払い料金に対応する領収証を印字出力するようにしてもよい。
【００６２】
ＣＰＵ３０は、課金部４から課金処理終了信号を受けると、印刷ＯＫか否かの確認画面をディスプレイ２０に表示する（Ｓ１７）。ここで、ユーザが印刷ＮＯを指示すると（Ｓ１７：Ｎｏ）、上記ステップＳ１４に戻り、サムネール画像一覧画面に対して画像選択および枚数入力を受け付ける。
【００６３】
一方、ユーザが印刷ＯＫを指示すると（Ｓ１７：Ｙｅｓ）、上記ステップＳ１４においてサムネール画像一覧画面に対して選択された画像および入力された印刷枚数に基づいて印刷データを印刷部５に送る（Ｓ１８）。
【００６４】
印刷部５は、印刷データに基づいて画像をプリント用紙に印刷する（Ｓ１９）。印刷された印刷写真５２は、排紙トレイ５１に排出される。
【００６５】
印刷後、印刷終了か否かの確認画面をディスプレイ２０に表示する（Ｓ２０）。ここで、ユーザが<印刷終了未>を選択すると（Ｓ２０：Ｎｏ）、再び上記ステップ１４に戻り、サムネール画像一覧画面に対して画像選択および枚数入力を受け付ける。
【００６６】
一方、ユーザが<印刷終了>を選択すると（Ｓ２０：Ｙｅｓ）、ＣＰＵ３０は画像記憶部３６に記憶されている画像を消去する（Ｓ２１）。
【００６７】
なお、ステップＳ１において、メニュー画面から<画像保存>が選択された場合は、販売員は、ディスク挿入口３８ａに保存用記録ディスクを挿入し、図示しないディスク検出センサが保存用記録ディスクの挿入を検出すると、ＣＰＵ３０は、サムネール画像一覧画面に対して選択された画像をディスク記録部３８により保存用記録ディスクに記録する。
【００６８】
また、ステップＳ１において、メニュー画面から<インデックスプリント>が選択された場合は、サムネール画像一覧画面の画像データが印刷部５に送信され、印刷部５は、サムネール画像一覧画面をプリント用紙に印刷して排紙トレイ５１に排出する。
【００６９】
（具体例）
ここで、図５を参照してサムネール画像の作成方法について具体的に説明する。
【００７０】
図５は、２００万画素のデジタルカメラで撮影した場合の画像の一例を示し、（ａ）〜（ｃ）は入力画像が高画質の場合の画像であって、（ａ）は入力画像、（ｂ）はサムネール画像、（ｃ）は出力画像である。また、（ｄ）〜（ｇ）は、入力画像が低画質の場合の画像であって、（ｄ）は入力画像、（ｅ）はサムネール画像を作成するための中間画像、（ｆ）は、サムネール画像、（ｇ）は出力画像である。なお、同図において、ｍｍ単位の表示は実サイズを示す。また、出力形態は、「画像プリント」で、印刷写真サイズは、Ｌ判（横１２７ｍｍ、縦８９ｍｍ）とする。
【００７１】
図５（ａ）に示す入力画像が高画質モードで撮影された場合、入力画像の画像サイズをＡ１＝１６００ピクセル、Ａ２＝１２００ピクセル、出力画像の画像サイズをＢ１＝１５７１、Ｂ２＝１１２２とすると、入力画像の画像サイズ比Ａ１／Ａ２は、Ａ１／Ａ２＝１６００／１２００＝１．３３となり、出力画像の画像サイズ比Ｂ１／Ｂ２は、Ｂ１／Ｂ２＝１５７１／１１２２＝１．４０となる。
【００７２】
従って、Ｂ１／Ｂ２＜Ａ１／Ａ２であるので、上記図４ＡのステップＳ３においてＹｅｓとなり、Ａ２＞Ｂ２であるので、ステップＳ４ｂにおいてＮｏとなり、ステップＳ８において、Ａ１をＣ１、Ａ２をＣ２に縮小して図５（ｂ）に示すようなサムネール画像（幅９４ピクセル、高さ６７ピクセル）を作成してディスプレイ２０に表示する。この場合のサムネール画像の解像度は、５０ｄｐｉとなる。
【００７３】
高画質モードで撮影された入力画像をＬ版等のプリント用紙に印刷すると、図５（ｃ）に示すように高解像度（３００ｄｐｉ）の印刷画像が得られる。
【００７４】
一方、図５（ｄ）に示す入力画像が低画質モードで撮影された場合、入力画像の画像サイズをＡ１＝６４０ピクセル、Ａ２＝４８０ピクセル、出力画像の画像サイズをＢ１＝１５７１、Ｂ２＝１１２２とすると、入力画像の画像サイズ比Ａ１／Ａ２は、Ａ１／Ａ２＝６４０／４８０＝１．３３となり、出力画像の画像サイズ比Ｂ１／Ｂ２は、Ｂ１／Ｂ２＝１５７１／１１２２＝１．４０となる。
【００７５】
従って、Ｂ１／Ｂ２＜Ａ１／Ａ２であるので、上記図４ＡのステップＳ３においてＹｅｓとなり、Ａ２＜Ｂ２であるので、上記ステップＳ４ｂにおいてＹｅｓとなり、ステップＳ５ｂのＤ１、Ｄ２の算出を行う。
Ｄ１＝（Ａ１×Ｃ２）／Ｂ２＝（６４０×６７）／１１２２≒３８
Ｄ２＝（Ａ２×Ｃ２）／Ｂ２＝（４８０×６７）／１１２２≒２９
【００７６】
次にステップＳ６において、図５（ｅ）に示すような幅３８ピクセル、高さ２９ピクセルの中間画像が一旦作成され、その中間画像をサムネールの実サイズ（３４×４８ｍｍ）に拡大すると、図５（ｆ）に示すように、図５（ｂ）と比較して解像度の低い（２１ｄｐｉ）サムネール画像が得られる。
【００７７】
仮に、低画質モードで撮影された入力画像から直接サムネール画像を作成すると、解像度の高い（５０ｄｐｉ）サムネール画像が作成されてしまい、サムネール画像上では、低画質モードで撮影されたものか、高画質モードで撮影されたものかを視覚的に区別することはできない。このため、利用者が低画質の入力画像を誤って選択した場合には、図５（ｇ）に示すように低画質（１３５ｄｐｉ）の印刷画像が出力されてしまう。
【００７８】
そこで、上述したように、入力画像の画像サイズが出力画像の画像サイズよりも小さい場合は、入力画像が通常のサムネール画像よりも縮小した中間画像を作成し、その中間画像の実サイズをサムネール画像の実サイズに拡大することで、サムネール画像の解像度を標準の解像度５０ｄｐｉよりも低解像度の２１ｄｐｉにすることができる。従って、利用者は、低画質モードで撮影した画像では、出力時に印刷される画像が粗くなることを、サムネール画像一覧画面から視覚的に認識することができる。
【００７９】
（第１の実施の形態の効果）
この第１の実施の形態によれば、以下の効果を得ることができる。
（イ）入力画像の画像サイズが印刷部５の出力画像の画像サイズよりも小さい場合は、入力画像と出力画像の画像サイズ比に応じて、画質の低いサムネール画像が表示されるので、サムネール画像そのものの表示で利用者に印刷適切性を視覚的に伝えることができる。
（ロ）印刷に不適切な画像についてもサムネール画像が表示されるので、利用者が全ての画像を確認することができる。
（ハ）サムネール画像に文字等を重ねないので、画像が見やすい。
（ニ）サムネール画像の表示領域を狭めないので、画像が大きく見やすい。
【００８０】
なお、入力画像の画像サイズの幅と高さの比（Ａ１／Ａ２）と、出力画像の画像サイうの幅と高さの比（Ｂ１／Ｂ２）とが異なる場合は、白い縁が出ない大きさまで拡大してはみ出した部分をカットする。
【００８１】
また、入力画像の画像サイズの幅と高さの比（Ａ１／Ａ２）と、サムネール画像の画像サイズの幅と高さの比（Ｃ１／Ｃ２）とが異なる場合は、白い縁が出ない大きさまで拡大してはみ出した部分をカットしてもよい。
【００８２】
中間画像の画像サイズの幅と高さの比（Ｄ１／Ｄ２）と、サムネール画像の画像サイズの幅と高さの比（Ｃ１／Ｃ２）とが異なる場合は、白い縁が出ない大きさまで拡大してはみ出した部分をカットしてもよい。
【００８３】
［第２の実施の形態］
次に、本発明の第２の実施の形態に係る画像処理装置を説明する。第１の実施の形態では、入力画像の画像サイズが出力画像の画像サイズよりも小さいものについて、画像の粗いサムネール画像を作成したが、第２の実施の形態は、入力画像の画像サイズが出力画像の画像サイズよりも小さいものについて、色相と彩度を変えることにより、画質を落とし、印刷に不適切なことを視覚的に利用者に伝えるものである。
【００８４】
本実施の形態は、第１の実施の形態とは、主として画像処理部３５が異なり、他の構成は、第１の実施の形態と同様である。
【００８５】
画像処理部３５は、サムネール画像の作成の際、ＣＰＵ３０の制御の下に、画像記憶部３６に記憶された複数の入力画像について、属性情報から画像サイズを読み取り、入力画像の画像サイズと印刷部５の出力画像の画像サイズと比較し、入力画像が出力画像の画像サイズよりも小さいときは、その比較結果に応じて色相及び彩度を変えたサムネール画像を作成するように構成されている。この比較処理やサムネイル画像の作成処理に必要な比較計算プログラムや比較結果に応じたサムネール画像の作成プログラムは、プログラム記憶部３１に格納されている。
【００８６】
（第２の実施の形態の動作）
次に、第２の実施の形態の動作を図６に示すフローチャートに従って説明する。
【００８７】
先ず、ＣＰＵ３０は、初期画面として<コピー>・<画像プリント>・<画像保存>・<インデックスプリント>・<ファックス>等の出力形態及び出力サイズを選択するためのメニュー画面を表示・操作部２のディスプレイ２０に表示し、ユーザからの指示を受け付ける（Ｓ１）。ここで、ユーザが例えば、出力形態として<画像プリント>を、出力サイズとして「Ｌ判」（縦８９ｍｍ、横１２７ｍｍ）を、タッチパネル２１を押下して選択したとする。
【００８８】
ユーザが、出力形態及び出力サイズを選択すると、ＣＰＵ３０は、シャッター３４を駆動してメディアドライブ３３Ａ〜３３Ｃのメディア挿入口３３ａ〜３３ｃを開放し、ユーザが記録メディアを任意のメディア挿入口３３ａ〜３３ｃに挿入する（Ｓ２）。挿入後、シャッター３４を駆動してメディアドライブ３３Ａ〜３３Ｃのメディア挿入口３３ａ〜３３ｃを閉塞する。ここで、ユーザが、例えば、デジタルカメラで撮影した画像が記録された記録メディアを第１のメディアドライブ３３Ａに挿入したとする。
【００８９】
ＣＰＵ３０は、第１のメディアドライブ３３Ａにより記録メディア内の全ての画像を入力画像として読み出す。ＣＰＵ３０は、プログラム記憶部３１に格納された処理プログラムの演算プログラムにより、入力画像の画像サイズをピクセル数で表したときの幅をＡ１、高さをＡ２とし、ユーザが選択した出力形態においてユーザが選択した出力サイズで出力する場合の出力画像の画像サイズをピクセル数で表したときの幅をＢ１、高さをＢ２とし、入力画像の幅Ａ１が、出力画像の幅Ｂ１よりも小さいか否かを判定する（Ｓ３０）。
【００９０】
入力画像の幅Ａ１が出力画像の幅Ｂ１よりも小さいときはステップＳ５０に進む。入力画像の幅Ａ１が出力画像の幅Ｂ１以上のときはステップＳ４０に進む。
【００９１】
ステップＳ３０で入力画像の幅Ａ１が出力画像の幅Ｂ１以上であった場合（Ｓ３０：Ｎｏ）、次に、入力画像の縦Ａ２が出力画像の縦Ｂ２よりも小さいか否かを判定する（Ｓ４０）。入力画像の縦Ａ２が出力画像の縦Ｂ２よりも小さいときはステップＳ５０に進む。入力画像の縦Ａ１が出力画像の縦Ｂ１以上のときはステップＳ８に進む。
【００９２】
ステップＳ３０での判定の結果、入力画像の幅Ａ１が出力画像の幅Ｂ１よりも小さかった場合（Ｓ３０：Ｙｅｓ）、及びステップＳ４０での判定の結果、入力画像の縦Ａ２が出力画像の縦Ｂ２よりも小さかった場合（Ｓ４０：Ｙｅｓ）、入力画像の色相と彩度を変更したサムネール画像を作成する（Ｓ５０）。
【００９３】
例えば、色相を［（Ｂ１×Ｂ２）−（Ａ１×Ａ２）］／（Ｂ１×Ｂ２）パーセント、赤色の方向へ色相をずらし、彩度は同じパーセンテージで低くする。これにより、入力データの画像サイズが出力データの画像サイズより小さい場合は、その比に応じて画像の色相及び彩度の違うサムネール画像が作成されることとなる。次にステップＳ８に進む。
【００９４】
ステップＳ４０での判定の結果、入力画像の縦Ａ２が出力画像の縦Ｂ２以上であった場合（Ｓ４０：Ｎｏ）、色相、彩度の変更をせずに、入力画像から、画像サイズを幅Ｃ１、高さＣ２に縮小したサムネール画像を作成する（Ｓ８）。
【００９５】
また、ステップＳ５０で画像の色相及び彩度の違うサムネール画像を作成した場合、作成した画像から画像サイズを幅Ｃ１、高さＣ２に縮小したサムネール画像を作成する。次にステップＳ９に進む。
【００９６】
ＣＰＵ３０は、画像記憶部３６に記憶した画像を画像処理部３５によって、各画像についてステップＳ８で作成したサムネール画像を用いてサムネール画像一覧画面を作成させ、ディスプレイ２０に表示する（Ｓ１３）。
【００９７】
次のステップＳ１４以降は、第１の実施の形態と同様であるので、その説明を省略する。
【００９８】
（第２の実施の形態の効果）
この第２の実施の形態によれば、入力画像の画像サイズが印刷部５の出力画像の画像サイズよりも小さいときに画像サイズ比に応じて色相及び彩度を変えたサムネール画像が表示されるので、サムネール画像そのものの表示で利用者に印刷適切性を視覚的に伝えることができる。
【００９９】
なお、上記実施の形態では、入力画像の画像サイズが出力画像の画像サイズよりも小さい場合に、色相を赤色側へ移行したが、青色側へ移行しても良く、また、別の色の方向に移行してもよい。また、ＲＧＢ三原色を一定比率等で上げて、入力画像の画像サイズが小さいほど白っぽく見えるようにしてもよい。
【０１００】
また、上記実施の形態では、入力画像の画像サイズが出力画像の画像サイズよりも小さい場合に、色相と彩度の両方を変更したが、どちらか一方でも良い。また、色相と彩度の代わりに、階調を低くしてもよい。また、カラーを白黒表示に変更しても良い。また、説明書きをサムネール画像一覧画面に表示してもよい。
【０１０１】
［他の実施の形態］
なお、本発明は、上記各実施の形態に限定されず、その発明の趣旨を逸脱しない範囲で種々と変形実施が可能である。また、上記各実施の形態の構成要素を発明の趣旨を逸脱しない範囲で任意に組み合わせることができる。
【０１０２】
上記各実施の形態では、出力用紙の選択をサムネール画像作成前に行ったが、一旦、入力画像から直接サムネール画像を作成して一覧表示させた後、出力用紙を選択したときに、一覧表示のうち、入力画像の画像サイズが出力画像の画像サイズよりも小さいもののみ、中間画像を作成して画像の粗いサムネール画像や、色相・彩度の異なるサムネール画像等に置き換えても良い。
【０１０３】
上記各実施の形態では、記録媒体としてスマートメディア（登録商標）等を挙げたが、記録媒体は、写真やフィルム等でもよく、これらを読み込む、スキャナ入力であってもよい。この場合、スキャン解像度により入力解像度及び画像サイズが決定される。
【図面の簡単な説明】
【０１０４】
【図１】本発明の第１の実施の形態に係る画像処理装置の全体の外観を示す斜視図である。
【図２】本発明の第１の実施の形態に係る画像処理装置の制御系を示すブロック図である。
【図３】本発明の第１の実施の形態に係る画像処理装置のディスプレイに表示されるサムネール画像一覧画面の一例を示す図である。
【図４Ａ】本発明の第１の実施の形態の画像処理装置の動作を説明するためのフローチャートである。
【図４Ｂ】本発明の第１の実施の形態の画像処理装置の動作を説明するためのフローチャートである。
【図５】本発明の第１の実施の形態の画像処理装置における２００万画素のデジタルカメラで撮影した場合の画像の一例を示し、（ａ）〜（ｃ）は入力画像が高画質の場合の画像であって、（ａ）は入力画像、（ｂ）はサムネール画像、（ｃ）は出力画像を示す図であり、（ｄ）〜（ｇ）は、入力画像が低画質の場合の画像であって、（ｄ）は入力画像、（ｅ）はサムネール画像を作成するための中間画像、（ｆ）は、サムネール画像、（ｇ）は出力画像を示す図である。
【図６Ａ】本発明の第２の実施の形態の画像処理装置の動作を説明するためのフローチャートである。
【図６Ｂ】本発明の第２の実施の形態の画像処理装置の動作を説明するためのフローチャートである。
【符号の説明】
【０１０５】
１  画像処理装置
２  表示・操作部
３  処理制御部
３ａ  処理制御部用筐体
４  課金部
４ａ  課金部用筐体
４ｂ  紙幣挿入口
４ｃ  硬貨投入口
４ｄ  釣銭払出口
５  印刷部
５ａ  印刷部用筐体
６  サムネール画像一覧画面
２０  ディスプレイ
２１  タッチパネル
３０  ＣＰＵ
３１  プログラム記憶部
３２  メディアドライブ部
３３Ａ，３３Ｂ，３３Ｃ  メディアドライブ
３３ａ，３３ｂ，３３ｃ  メディア挿入口
３４  シャッター
３５  画像処理部
３６  画像記憶部
３７  課金情報記憶部
３８  ディスク記録部
３８ａ  ディスク挿入口
５０  給紙トレイ
５１  排紙トレイ
５２  印刷写真
６０  メディアＩＤ
６１，６１’  サムネール画像
６２  印刷枚数入力欄
６３  撮影日・時間
【図１】
2007312092.tif 000003
【図２】
2007312092.tif 000004
【図３】
2007312092.tif 000005
【図４Ａ】
2007312092.tif 000006
【図４Ｂ】
2007312092.tif 000007
【図５】
2007312092.tif 000008
【図６Ａ】
2007312092.tif 000009
【図６Ｂ】
2007312092.tif 000010